【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
タッチ・センサーを含むユーザー入力デバイスから入力を受け取るように、および前記タッチ・センサーから分離しているディスプレイ・デバイスへユーザー・インターフェース・イメージを出力するように構成される計算デバイスにおける方法であって、
前記ユーザー・インターフェースの第１ユーザー・インタラクション・コンテキストに関し、前記ディスプレイ・デバイスのディスプレイ・スクリーンに表示された複数のユーザー・インタフェース・コントロールの各々を第１相対スケールで前記タッチ・センサーの対応エリアへマッピングする第１ユーザー・インターフェース・マッピングを設定するステップと、
ユーザー・インターフェースの前記第１のユーザー・インタラクション・コンテキストを第２ユーザー・インタラクション・コンテキストへ変更するユーザー入力を、前記ユーザー入力デバイスから受け取るステップと、
前記第２ユーザー・インタラクションコンテキストに関し、前記複数のユーザー・インターフェース・コントロールを前記タッチ・センサーのより広い対応領域へ、前記第１相対スケールとは異なる第２相対スケールでマッピングする第２ユーザー・インターフェース・マッピングを設定するステップと、
前記ディスプレイ・デバイスへ、前記第２ユーザー・インターフェース・マッピング基づく位置における前記ユーザー入力を表すユーザー・インターフェース・イメージの出力を提供するステップと
を含む方法。
【請求項２】
請求項１に記載の方法であって、前記ディスプレイ・スクリーンの第１のサブ領域と、異なるアスペクト比で前記タッチ・センサーの対応するサブ領域へマッピングされる前記ディスプレイ・スクリーンの第２のサブ領域との間の境界上のカーソルの動きに対応するタッチ入力データを受け取るステップと、前記カーソルが前記境界を越えてスレッショルド距離を通過するまで、前記ユーザー入力の焦点を変更しないステップをさらに含む方法。
【請求項３】
請求項１に記載の方法であって、前記複数のユーザー・インターフェース・コントロールはテキスト入力キーボードを含む、方法。
【請求項４】
請求項１に記載の方法であって、前記ユーザー・インターフェース・イメージは、第１サブ領域にテキスト入力コントロールを含み、第２サブ領域にテキスト・ボックスを含む、方法。
【請求項５】
請求項１に記載の方法であって、前記ユーザー・インターフェース・イメージは、前記ディスプレイ・スクリーンにマップされるタッチ入力の位置を示す前記カーソルと、焦点インジケーターをも備える、方法。
【請求項６】
計算デバイスであって、
ロジック・サブシステムと、
通信サブシステムと、
格納した命令を含むデータ保持サブシステムと
を備え、前記命令は、
ディスプレイ・デバイスのディスプレイ・スクリーンに表示される複数のユーザー・インターフェース・コントロールの各々を第１相対スケールでリモート・コントロール・デバイスのタッチ・センサーの対応する領域へマッピングする第１ユーザー・インターフェース・マッピングを設定すること、
第１ユーザー入力を受け取ること、
前記第１ユーザー入力に応じて、前記第１ユーザー・インターフェース・マッピングに基づく位置における前記第１ユーザー入力を表す第１ユーザー・インターフェース・イメージの出力を、前記ディスプレイ・デバイスへ提供すること、
前記第１ユーザー・インタラクション・コンテキストを第２ユーザー・インタラクション・コンテキストへ変更する第２ユーザー入力を、前記ユーザー入力デバイスから受け取ること、
前記第２ユーザー・インタラクション・コンテキストに関し、前記複数のユーザー・インタフェース・コントロールの各々を前記タッチ・センサーのより広い対応エリアへマッピングする第２ユーザー・インターフェース・マッピングを設定すること、
前記第２ユーザー・インターフェース・マッピングに基づく位置における前記第２ユーザー入力を表す第２ユーザー・インターフェース・イメージの出力を、前記ディスプレイ・デバイスへ提供すること、および
前記ディスプレイ・スクリーンの第１サブ領域と、前記ディスプレイ・スクリーンの第２のサブ領域との間の境界上のカーソルの動きに対応するタッチ入力データを受け取り、前記カーソルが前記境界を越えてスレッショルド距離を通過するまで、前記ユーザー入力の焦点を変更しないこと
を行わせるように、前記ロジック・サブシステムにより実行可能である、
計算デバイス。
【請求項７】
請求項６に記載の計算デバイスであって、前記第２ユーザー・インターフェース・イメージは、前記複数のユーザー・インターフェース・コントロールを含む、計算デバイス。
【請求項８】
請求項７に記載の計算デバイスであって、前記複数のユーザー・インターフェース・コントロールは、テキスト入力キーボードを含む、計算デバイス。
【請求項９】
請求項６に記載の計算デバイスであって、前記ディスプレイ・スクリーンの前記第１サブ領域と前記ディスプレイ・スクリーンの前記第２サブ領域は異なるアスペクト比で前記タッチ・センサーにマッピングされる、計算デバイス。
【請求項１０】
請求項９に記載の計算デバイスであって、前記第２ユーザー・インターフェース・イメージは、第１サブ領域にテキスト入力コントロールを含み、第２サブ領域にテキスト・ボックスを含む、計算デバイス。
【請求項１１】
請求項６に記載の計算デバイスであって、前記第２ユーザー・インターフェース・イメージは、前記ディスプレイ・スクリーンへマップされたタッチ入力の位置を示す前記カーソルと、現在選択可能なユーザー・インターフェース・コントロールを示す焦点インジケーターをも含む、計算デバイス
【請求項１２】
ユーザー入力デバイスであって、
タッチ・センサーと、
前記タッチ・センサーの第１領域内で押されることにより移動可能に作動させられるように構成される第１の物理的なボタンと、
前記タッチ・センサーの第２領域内で押されることにより移動可能に作動させられる第２の物理的なボタンと、
ロジック・サブシステムと、
リモート・ディスプレイ・デバイスへ接続するよう構成される通信サブシステムと、
格納された命令を備えるデータ保持サブシステムと、
を備え、前記命令は、
前記第１のタッチ入力による前記第１の物理的ボタンの対応する作動と、前記第２のタッチ入力による前記第２の物理的ボタンの対応する作動をそれぞれ独立して追跡するため、及び通信サブシステムを介して前記リモート・ディスプレイ・デバイスと、タッチ入力及び作動に関する情報を通信するため、前記タッチ・センサーの前記第１領域における第１タッチ入力の動きと、前記タッチ・センサーの第２領域の一時的に重複する第２タッチ入力の動きを独立して検出して追跡すること、それにより前記タッチ・センサーの前記第１領域における前記第１タッチ入力の動きは前記リモート・ディスプレイ・デバイス上の第１カーソルに対応し、前記タッチ・センサーの前記第２領域における前記第２タッチ入力の動きは前記リモート・ディスプレイ・デバイス上の第２カーソルに対応すること、
を前記ロジック・サブシステムにより実行可能である、
ユーザー入力デバイス。
【請求項１３】
前記第１の物理的なボタン及び前記第２の物理的なボタンはそれぞれ圧力センサを備え、前記ユーザー入力デバイスはさらにハプティック・フィードバック・システムを備える、請求項１２に記載のユーザー入力デバイス。